(57)【要約】【課題】  シーズンオフを判定して報知する温風暖房機を提供する。【解決手段】    運転スイッチ１３がＯＦＦの状態が所定期間以上になった時、所定時間間隔で室温を検知してそれを記憶部１７に記憶させ、記憶部１７に記憶させた室温が所定期間分になった時、記憶させた室温の平均室温を算出してシーズンオフ判定温度と比較し、算出した平均室温がシーズンオフ判定温度より高い時シーズンオフになったことを報知部１５により報知するので、一定期間使用しないこととその時の一日の平均室温がシーズンオフ判定温度より高いことでシーズンオフを判断することでシーズンオフを的確に判断でき、それにより電源コンセントを抜くように報知することで電源コンセントを差したまま待機電力を消費するのを防ぐことができるものである。【選択図】  図３
2014085058.tif 000002
【特許請求の範囲】
【請求項１】
バーナと、該バーナに燃焼用空気を供給する燃焼用ファンと、前記バーナに燃料を供給する電磁ポンプと、前記バーナで燃料と燃焼用空気とが混合されてガス化した予混合気を点火する点火手段と、前記バーナの燃焼によって発生した熱を送風と共に温風として吹き出させる送風ファンと、室温を検知する室温センサと運転スイッチを備えた操作部と、報知を行う報知部と、計時を行うタイマー部と、検知した室温等を記憶する記憶部と、運転の制御を行う制御部とを備えた温風暖房機に於いて、前記制御部は、運転スイッチがＯＦＦ操作された時にタイマー部での計時を開始し、運転スイッチがＯＦＦの状態のままタイマー部の計時が所定期間以上になった時、所定時間間隔で室温を検知してそれを記憶部に記憶させ、記憶部に記憶させた室温が所定期間分になった時、その記憶部に記憶させた室温の平均室温を算出し、その算出した平均室温とシーズンオフ判定温度とを比較して算出した平均室温がシーズンオフ判定温度より高い時、冬期が終了してシーズンオフになったことを報知部により報知することを特徴とする温風暖房機。
【請求項２】
バーナと、該バーナに燃焼用空気を供給する燃焼用ファンと、前記バーナに燃料を供給する電磁ポンプと、前記バーナで燃料と燃焼用空気とが混合されてガス化した予混合気を点火する点火手段と、前記バーナの燃焼によって発生した熱を送風と共に温風として吹き出させる送風ファンと、室温を検知する室温センサと運転スイッチを備えた操作部と、報知を行う報知部と、計時を行うタイマー部と、検知した室温等を記憶する記憶部と、運転の制御を行う制御部とを備えた温風暖房機に於いて、前記制御部は、運転スイッチがＯＦＦ操作された時にタイマー部での計時を開始し、運転スイッチがＯＦＦの状態のままタイマー部の計時が所定期間以上になった時、所定時間間隔で室温を検知してそれを記憶部に記憶させ、記憶部に記憶させた室温が所定期間分になった時、その記憶部に記憶させた全室温とシーズンオフ判定温度とを比較し、シーズンオフ判定温度に対して記憶させた全室温が高い時、冬期が終了してシーズンオフになったことを報知部により報知することを特徴とする温風暖房機。
【請求項３】
バーナと、該バーナに燃焼用空気を供給する燃焼用ファンと、前記バーナに燃料を供給する電磁ポンプと、前記バーナで燃料と燃焼用空気とが混合されてガス化した予混合気を点火する点火手段と、前記バーナの燃焼によって発生した熱を送風と共に温風として吹き出させる送風ファンと、室温を検知する室温センサと運転スイッチを備えた操作部と、報知を行う報知部と、計時を行うタイマー部と、検知した室温等を記憶する記憶部と、運転の制御を行う制御部とを備えた温風暖房機に於いて、前記制御部は、運転スイッチがＯＦＦ操作されてから次にＯＮ操作されるまでの時間を計時し、その計時した時間が所定時間以上の時、その時の室温と既に記憶されているシーズンオフ判定温度を比較し、その時の室温のほうが高い時にその時の室温をシーズンオフ判定温度として記憶部に記憶させると共に、運転スイッチがＯＦＦ操作された時にタイマー部での計時を開始し、運転スイッチがＯＦＦの状態のままタイマー部の計時が所定期間以上になった時、所定時間間隔で室温を検知してそれを記憶部に記憶させ、記憶部に記憶させた室温が所定期間分になった時、その記憶部に記憶させた全室温とシーズンオフ判定温度とを比較し、シーズンオフ判定温度に対して記憶させた全室温が高い時、冬期が終了してシーズンオフになったことを報知部により報知することを特徴とする温風暖房機。
【発明の詳細な説明】
【技術分野】
【０００１】
この発明は、温風を吹き出して室内を暖房する温風暖房機に関するものである。
【背景技術】
【０００２】
従来よりこの種のものでは、バーナで燃焼用ファンにより吸い込まれる燃焼用空気と電磁ポンプにより供給される燃料とを予熱された気化器内で混合してガス化し燃焼させ、その燃焼ガスバーナ上部の燃焼筒の上部開口より上方に流れ、送風ファンによりバーナの燃焼によって発生した熱を送風と共に温風として温風吹出□より吹き出して暖房を行うものであった。
【０００３】
又、暖房は秋の終わりから春の初めの冬期に行われるが、この冬期のシーズンオフを判断するものとして、暖房スイッチがオンされない状態が一定の期間継続したら、冬期のシーズンオフが開始したと判断するものがあった。（例えば、特許文献１参照。）
【先行技術文献】
【特許文献】
【０００４】
【特許文献１】特開平０８−３１２９７２号公報
【発明の概要】
【発明が解決しようとする課題】
【０００５】
ところでこの従来のものでは、電源コンセントを差し込んだ状態で使用するが、冬から春に季節が変わってくると気温も上昇し、段々暖房運転を行わなくなり、場合によっては電源コンセントを差し込んだ状態のままで暖房運転を行わなずに温風暖房機が放置されることがあり、この場合、温風暖房機は一時間当たり約１ワットの待機電力を消費するので、無駄に電気が消費されることがあった。
【課題を解決するための手段】
【０００６】
上記課題を解決するために、本発明の請求項１では、バーナと、該バーナに燃焼用空気を供給する燃焼用ファンと、前記バーナに燃料を供給する電磁ポンプと、前記バーナで燃料と燃焼用空気とが混合されてガス化した予混合気を点火する点火手段と、前記バーナの燃焼によって発生した熱を送風と共に温風として吹き出させる送風ファンと、室温を検知する室温センサと運転スイッチを備えた操作部と、報知を行う報知部と、計時を行うタイマー部と、検知した室温等を記憶する記憶部と、運転の制御を行う制御部とを備えた温風暖房機に於いて、前記制御部は、運転スイッチがＯＦＦ操作された時にタイマー部での計時を開始し、運転スイッチがＯＦＦの状態のままタイマー部の計時が所定期間以上になった時、所定時間間隔で室温を検知してそれを記憶部に記憶させ、記憶部に記憶させた室温が所定期間分になった時、その記憶部に記憶させた室温の平均室温を算出し、その算出した平均室温とシーズンオフ判定温度とを比較して算出した平均室温がシーズンオフ判定温度より高い時、冬期が終了してシーズンオフになったことを報知部により報知するものである。
【０００７】
また、請求項２では、バーナと、該バーナに燃焼用空気を供給する燃焼用ファンと、前記バーナに燃料を供給する電磁ポンプと、前記バーナで燃料と燃焼用空気とが混合されてガス化した予混合気を点火する点火手段と、前記バーナの燃焼によって発生した熱を送風と共に温風として吹き出させる送風ファンと、室温を検知する室温センサと運転スイッチを備えた操作部と、報知を行う報知部と、計時を行うタイマー部と、検知した室温等を記憶する記憶部と、運転の制御を行う制御部とを備えた温風暖房機に於いて、前記制御部は、運転スイッチがＯＦＦ操作された時にタイマー部での計時を開始し、運転スイッチがＯＦＦの状態のままタイマー部の計時が所定期間以上になった時、所定時間間隔で室温を検知してそれを記憶部に記憶させ、記憶部に記憶させた室温が所定期間分になった時、その記憶部に記憶させた全室温とシーズンオフ判定温度とを比較し、シーズンオフ判定温度に対して記憶させた全室温が高い時、冬期が終了してシーズンオフになったことを報知部により報知するものである。
【０００８】
また、請求項３では、バーナと、該バーナに燃焼用空気を供給する燃焼用ファンと、前記バーナに燃料を供給する電磁ポンプと、前記バーナで燃料と燃焼用空気とが混合されてガス化した予混合気を点火する点火手段と、前記バーナの燃焼によって発生した熱を送風と共に温風として吹き出させる送風ファンと、室温を検知する室温センサと運転スイッチを備えた操作部と、報知を行う報知部と、計時を行うタイマー部と、検知した室温等を記憶する記憶部と、運転の制御を行う制御部とを備えた温風暖房機に於いて、前記制御部は、運転スイッチがＯＦＦ操作されてから次にＯＮ操作されるまでの時間を計時し、その計時した時間が所定時間以上の時、その時の室温と既に記憶されているシーズンオフ判定温度を比較し、その時の室温のほうが高い時にその時の室温をシーズンオフ判定温度として記憶部に記憶させると共に、運転スイッチがＯＦＦ操作された時にタイマー部での計時を開始し、運転スイッチがＯＦＦの状態のままタイマー部の計時が所定期間以上になった時、所定時間間隔で室温を検知してそれを記憶部に記憶させ、記憶部に記憶させた室温が所定期間分になった時、その記憶部に記憶させた全室温とシーズンオフ判定温度とを比較し、シーズンオフ判定温度に対して記憶させた全室温が高い時、冬期が終了してシーズンオフになったことを報知部により報知するものである。
【発明の効果】
【０００９】
この発明の請求項１によれば、運転スイッチがＯＦＦ操作された時にタイマー部での計時を開始し、運転スイッチがＯＦＦの状態のままタイマー部の計時が所定期間以上になった時、所定時間間隔で室温を検知してそれを記憶部に記憶させ、記憶部に記憶させた室温が所定期間分になった時、その記憶部に記憶させた室温の平均室温を算出し、その算出した平均室温とシーズンオフ判定温度とを比較して、算出した平均室温がシーズンオフ判定温度より高い時、冬期が終了してシーズンオフになったことを報知部により報知するので、一日の平均室温がシーズンオフ判定温度より低い時はシーズンオフとは判断せず、一定期間使用しないこととその時の一日の平均室温がシーズンオフ判定温度より高いことでシーズンオフを判断することでシーズンオフを的確に判断でき、それにより電源コンセントを抜くように報知することで電源コンセントを差したまま待機電力を消費するのを防ぐことができるものである。
【００１０】
また、請求項２によれば、運転スイッチがＯＮ操作される毎にその時の室温をシーズンオフ判定温度として記憶し、運転スイッチがＯＦＦ操作されて所定期間そのまま運転スイッチがＯＦＦの状態となった時にシーズンオフの判定を行い、一日の室温を検知して記憶し、その記憶した一日の全室温がシーズンオフ判定温度より高い時、冬期が終了してシーズンオフになったことを報知部により報知するので、再運転のため運転スイッチをＯＮ操作した時の高い室温を一旦シーズンオフ判定温度として記憶しても、また次の運転スイッチをＯＮ操作した時の室温をシーズンオフ判定温度として記憶するので、再運転時の高い室温をシーズンオフ判定温度として記憶しても次の運転スイッチのＯＮ操作で修正され、その時期の暖房運転を開始する室温がシーズンオフ判定温度として記憶されるものである。
【００１１】
又、一日の室温の内でシーズンオフ判定温度より低い室温となる時間がある時はシーズンオフとは判断せず、一定期間使用しないことと、一日の室温の全温度とシーズンオフ判定温度とを比較することでシーズンオフを判断するので、シーズンオフを的確に判断でき、電源コンセントを抜くように報知することで電源コンセントを差したまま待機電力を消費するのを防ぐことができるものである。
【００１２】
また、請求項３によれば、運転スイッチがＯＦＦ操作されてから次にＯＮ操作されるまでの時間を計時し、その計時された時間が所定時間より短い時は、再運転の状態で室内がまだ暖かく、寒くて使用者が運転スイッチをＯＮ操作したのではないと判断し、シーズンオフ判定温度を変更しないので、常にシーズンオフ判定温度は使用者が暖房運転を行いたい時の最高室温が記憶されるので、使用者に最適なシーズンオフ判定温度を記憶することができるものである。
【００１３】
又、一日の室温の内でシーズンオフ判定温度より低い室温となる時間がある時はシーズンオフとは判断せず、一定期間使用しないことと、一日の室温の全温度とシーズンオフ判定温度とを比較することでシーズンオフを判断するので、シーズンオフを的確に判断でき、電源コンセントを抜くように報知することで電源コンセントを差したまま待機電力を消費するのを防ぐことができるものである。
【図面の簡単な説明】
【００１４】
【図１】この発明の一実施形態を示す外観斜視図。
【図２】同ブロック図。
【図３】同シーズンオフ制御のフローチャート図。
【図４】同その他の実施形態のシーズンオフ制御のフローチャート図。
【図５】同その他の実施形態のシーズンオフ制御のフローチャート図。
【発明を実施するための形態】
【００１５】
次にこの発明に係る温風暖房機を図面に示す一実施例で説明する。
１は温風吹出口で、本体２の前面パネル３に設けたグリル４により形成されているものである。
【００１６】
５はバーナで、運転開始時には所定温度までヒータ６により加熱され、燃焼用ファン７により吸い込まれる燃焼用空気と電磁ポンプ８により供給される燃料とを混合してガス化し、それを点火手段９にて点火してガス化し燃焼させるものである。
【００１７】
前記燃焼ガスはバーナ５の上部に設けられた燃焼筒（図示せず）の上部開口（図示せず）より上方に流れ、送風ファン１０によりバーナ５の燃焼によって発生した熱を送風と共に温風として温風吹出口１より吹き出させ、室温センサ１１により検知される室温が設定温度になるように暖房運転を行うものである。
【００１８】
１２は暖房運転のオン・オフを行う運転スイッチ１３等の各種スイッチを備えた操作部である。
１４は表示部で、設定温度や室温センサ１１により検知される室温等表示するものである。
１５は報知部で、各種警報音や音声等により報知を行うものである。  
【００１９】
１６はタイマー部で、計時を行うものである。
１７は記憶部で、検知された室温等記憶するものである。
１８は制御部で、暖房運転の制御やシーズンオフの判定等行うものである。
【００２０】
次に、本実施形態のシーズンオフの判定制御について図３のフローチャート図に基づいて説明する。
まず、制御部１８は、運転スイッチ１３がＯＦＦ操作されたかを確認し（Ｓ１）、運転スイッチ１３がＯＦＦ操作されたのを確認すると、次にタイマー部１６により計時を開始する。（Ｓ２）
【００２１】
制御部１８は、タイマー部１６による計時時間が所定期間、本実施例では１週間以上になったかを確認し（Ｓ３）、タイマー部１６による計時時間が所定期間に達していない時は運転スイッチ１３がＯＮ操作されたかを確認し（Ｓ４）、運転スイッチ１３がＯＮ操作されていない場合は（Ｓ３）に戻り、運転スイッチ１３がＯＮ操作された場合はタイマー部１６による計時を終了し（Ｓ５）、通常の運転制御（Ｓ１１）に進むものである。
【００２２】
又、（Ｓ３）で、タイマー部１６による計時時間が所定期間に達した時は、制御部１８はタイマー部１６による計時を終了し（Ｓ６）、次に一時間毎に室温センサ１１により検知される室温を記憶部１７に記憶する。（Ｓ７）
【００２３】
そして次に制御部１８は、記憶部１７に記憶させた室温が一日分、つまり２４時間分になったかを確認し（Ｓ８）、２４時間分になっていない時は、運転スイッチ１３がＯＮ操作されたかを確認し（Ｓ９）、運転スイッチ１３がＯＮ操作されていない場合は（Ｓ７）に戻り、運転スイッチ１３がＯＮ操作された場合は室温センサ１１により検知される室温を記憶部１７に記憶するのを終了し（Ｓ１０）、通常の運転制御（Ｓ１１）に進むものである。
【００２４】
又、（Ｓ８）で、記憶部１７に記憶させた室温が一日分、つまり２４時間分になった時、その２４時間分の室温の平均室温を算出し（Ｓ１２）、その算出した平均室温をシーズンオフ判定温度（本実施例では初期設定値として１５℃）と比較し（Ｓ１３）、算出した平均室温がシーズンオフ判定温度未満の時は、まだシーズンオフになっていないと判断して（Ｓ２）に戻り、算出した平均室温がシーズンオフ判定温度以上の時は、冬期が終了してシーズンオフになったと判断し（Ｓ１４）、報知手段１５により、「シーズンオフです。電源コンセントを抜いて下さい。」と音声により報知するものである。（Ｓ１５）
【００２５】
尚、本実施例ではシーズンオフ判定温度を初期設定値として１５℃としたが、使用者が任意に設定できるようにしてもよいものである。
又、シーズンオフ判定温度の初期設定値として使用地域を特定する情報、例えばその使用場所の電話番号とか郵便番号とか住所を操作部１２により入力すると、予めデータとして記憶してある全国のいくつかの場所の３月の平均気温又は最低気温から、その使用地域に一番近い場所の平均気温又は最低気温をシーズンオフ判定温度として自動設定できるようにしてもよいものである。
【００２６】
又、本実施例では冬期が終了してシーズンオフになったと判断したら、すぐ報知手段１５により報知したがこれに限定されず、本体２に人感センサを設け、人感センサが人を感知したら報知手段１５により報知したり、予め暖房運転の時間帯を記憶しておいてその時間帯になったら報知手段１５により報知したり、シーズンオフになったと判断したら、電源コンセントが抜かれて電源ＯＦＦとなるまで所定時間毎に繰り返し報知手段１５により報知するようにして、使用者に確実に報知できるようにしてもよいものである。
【００２７】
このようにまず所定期間運転スイッチがＯＦＦの状態となった時にシーズンオフの判定を行い、一日の室温を検知して記憶し、その記憶した室温の平均室温を算出してその平均室温がシーズンオフ判定温度より高い時、冬期が終了してシーズンオフになったと判断して電源コンセントを抜くように報知するので、一日の平均室温がシーズンオフ判定温度より低い時はシーズンオフとは判断せず、一定期間使用しないこととその時の一日の平均室温がシーズンオフ判定温度より高いことでシーズンオフを判断することでシーズンオフを的確に判断でき、電源コンセントを抜くように報知することで電源コンセントを差したまま待機電力を消費するのを防ぐことができるものである。
【００２８】
次に、本実施形態２のシーズンオフの判定制御について図４のフローチャート図に基づいて説明する。
まず、制御部１８は、運転スイッチ１３がＯＮ操作されたかを確認し（Ｓ１６）、運転スイッチ１３がＯＮ操作された場合はそのＯＮ操作されたされた時の室温をシーズンオフ判定温度として記憶部１７に記憶させる。
【００２９】
そして通常の運転制御を行い（Ｓ１８）、そして次に運転スイッチ１３がＯＦＦ操作されたかを確認し（Ｓ１９）、運転スイッチ１３がＯＦＦ操作されたのを確認すると、タイマー部１６により計時を開始する。（Ｓ２０）
【００３０】
そして制御部１８は、タイマー部１６による計時時間が所定期間、本実施例では１週間以上になったかを確認し（Ｓ２１）、タイマー部１６による計時時間が所定期間に達していない時は運転スイッチ１３がＯＮ操作されたかを確認し（Ｓ２２）、運転スイッチ１３がＯＮ操作されていない場合は（Ｓ２１）に戻り、運転スイッチ１３がＯＮ操作された場合はタイマー部１６による計時を終了し（Ｓ２３）、通常の運転制御（Ｓ１８）に戻るものである。
【００３１】
又、（Ｓ２１）で、タイマー部１６による計時時間が所定期間に達した時は、制御部１８はタイマー部１６による計時を終了し（Ｓ２４）、次に一時間毎に室温センサ１１により検知される室温を記憶部１７に記憶する。（Ｓ２５）
【００３２】
そして次に制御部１８は、記憶部１７に記憶させた室温が一日分、つまり２４時間分になったかを確認し（Ｓ２６）、２４時間分になっていない時は、運転スイッチ１３がＯＮ操作されたかを確認し（Ｓ２７）、運転スイッチ１３がＯＮ操作されていない場合は（Ｓ２５）に戻り、運転スイッチ１３がＯＮ操作された場合は室温センサ１１により検知される室温を記憶部１７に記憶するのを終了し（Ｓ２８）、通常の運転制御（Ｓ１８）に進むものである。
【００３３】
又、（Ｓ２６）で、記憶部１７に記憶させた室温が一日分、つまり２４時間分になった時、制御部１８は、その記憶部１７が記憶した２４時間分の全ての室温とシーズンオフ判定温度と比較し（Ｓ２９）、記憶部１７が記憶している全ての室温がシーズンオフ判定温度以上ではない時は、まだシーズンオフになっていないと判断して（Ｓ２０）に戻り、記憶部１７が記憶している全ての室温がシーズンオフ判定温度以上の時は、冬期が終了してシーズンオフになったと判断し（Ｓ３０）、報知手段１５により、「シーズンオフです。電源コンセントを抜いて下さい。」と音声により報知するものである。（Ｓ３１）
【００３４】
このようにまず運転スイッチ１３がＯＮ操作される毎にその時の室温をシーズンオフ判定温度として記憶し、運転スイッチ１３がＯＦＦ操作されて所定期間そのまま運転スイッチがＯＦＦの状態となった時にシーズンオフの判定を行い、一日の室温を検知して記憶し、その記憶した一日の全室温がシーズンオフ判定温度より高い時、冬期が終了してシーズンオフになったと判断して電源コンセントを抜くように報知しするので、例えば運転中に給油により運転停止したり、本体２に設けられた感震器が作動して緊急停止した時に再運転のため運転スイッチ１３をＯＮ操作した時、その時の室温は高く、その高い室温を一旦シーズンオフ判定温度として記憶するが、また次の運転スイッチ１３をＯＮ操作した時の室温をシーズンオフ判定温度として記憶するので、再運転時の高い室温をシーズンオフ判定温度として記憶しても次の運転スイッチのＯＮ操作で修正されて、その時期の暖房運転を開始する室温がシーズンオフ判定温度として記憶されるものである。
【００３５】
又、一日の室温の内でシーズンオフ判定温度より低い室温となる時間がある時はシーズンオフとは判断せず、一定期間使用しないことと、一日の室温の全温度とシーズンオフ判定温度とを比較することでシーズンオフを判断するので、シーズンオフを的確に判断でき、電源コンセントを抜くように報知することで電源コンセントを差したまま待機電力を消費するのを防ぐことができるものである。
【００３６】
次に、本実施形態３のシーズンオフの判定制御について図５のフローチャート図に基づいて説明する。
まず、制御部１８は、運転スイッチ１３がＯＦＦ操作されたかを確認し（Ｓ３２）、運転スイッチ１３がＯＦＦ操作されたのを確認すると、次にタイマー部１６により計時を開始する。（Ｓ３３）
【００３７】
次に、制御部１８は、運転スイッチ１３がＯＮ操作されたかを確認し（Ｓ３４）、運転スイッチ１３がＯＮ操作された場合はタイマー部１６により計時された時間と予め設定されている所定時間、本実施例では３時間とを比較し（Ｓ３５）、タイマー部１６により計時された時間が所定時間未満の時は再運転と判断してタイマー部１６による計時を終了して（Ｓ３６）、通常の運転制御（Ｓ５１）に戻るものである。
【００３８】
又、（Ｓ３５）でタイマー部１６により計時された時間が所定時間以上の時は、タイマー部１６による計時を終了して（Ｓ３７）、前回の運転スイッチ１３をＯＮ操作した時にシーズンオフ判定温度として記憶部１７に記憶した室温と今の室温とを比較し（Ｓ３８）、今の室温が記憶部１７に記憶されている室温より高い時は、今の室温をシーズンオフ判定温度として記憶部１７に記憶させ（Ｓ３９）、又（Ｓ３８）で今の室温が記憶部１７に記憶されている室温以下の時は、シーズンオフ判定温度を変更しないものである。
【００３９】
そして次に制御部１８は、運転スイッチ１３がＯＦＦ操作されたかを確認し（Ｓ４１）、運転スイッチ１３がＯＦＦ操作されたのを確認すると、タイマー部１６により計時を開始する。（Ｓ４２）
【００４０】
そして制御部１８は、タイマー部１６による計時時間が所定期間、本実施例では１週間以上になったかを確認し（Ｓ４３）、タイマー部１６による計時時間が所定期間に達していない時は運転スイッチ１３がＯＮ操作されたかを確認し（Ｓ４４）、運転スイッチ１３がＯＮ操作されていない場合は（Ｓ４３）に戻り、運転スイッチ１３がＯＮ操作された場合はタイマー部１６による計時を終了し（Ｓ４５）、通常の運転制御（Ｓ５１）に進むものである。
【００４１】
又、（Ｓ４３）で、タイマー部１６による計時時間が所定期間に達した時は、制御部１８はタイマー部１６による計時を終了し（Ｓ４６）、次に一時間毎に室温センサ１１により検知される室温を記憶部１７に記憶する。（Ｓ４７）
【００４２】
そして次に制御部１８は、記憶部１７に記憶させた室温が一日分、つまり２４時間分になったかを確認し（Ｓ４８）、２４時間分になっていない時は、運転スイッチ１３がＯＮ操作されたかを確認し（Ｓ４９）、運転スイッチ１３がＯＮ操作されていない場合は（Ｓ４７）に戻り、運転スイッチ１３がＯＮ操作された場合は室温センサ１１により検知される室温を記憶部１７に記憶するのを終了し（Ｓ５０）、通常の運転制御（Ｓ５１）に進むものである。
【００４３】
又、（Ｓ４８）で、記憶部１７に記憶させた室温が一日分、つまり２４時間分になった時、制御部１８は、その記憶部１７が記憶した２４時間分の全ての室温とシーズンオフ判定温度と比較し（Ｓ５２）、記憶部１７が記憶している全ての室温がシーズンオフ判定温度以上ではない時は、まだシーズンオフになっていないと判断して（Ｓ４２）に戻り、記憶部１７が記憶している全ての室温がシーズンオフ判定温度以上の時は、冬期が終了してシーズンオフになったと判断し（Ｓ５３）、報知手段１５により、「シーズンオフです。電源コンセントを抜いて下さい。」と音声により報知するものである。（Ｓ５４）
【００４４】
このように運転スイッチ１３がＯＦＦ操作されてから次にＯＮ操作されるまでの時間を計時し、その計時された時間が所定時間より短い時は、再運転の状態で室内がまだ暖かく、寒くて使用者が運転スイッチ１３をＯＮ操作したのではないと判断し、シーズンオフ判定温度を変更しないので、常にシーズンオフ判定温度は使用者が暖房運転を行いたい時の最高室温が記憶されるので、使用者に最適なシーズンオフ判定温度を記憶することができるものである。
【００４５】
又、運転スイッチ１３がＯＦＦ操作されて所定期間そのまま運転スイッチ１３がＯＦＦの状態となった時にシーズンオフの判定を行い、一日の室温を検知して記憶し、その記憶した一日の全室温がシーズンオフ判定温度より高い時、冬期が終了してシーズンオフになったと判断して電源コンセントを抜くように報知しするので、シーズンオフを的確に判断でき、電源コンセントを抜くように報知することで電源コンセントを差したまま待機電力を消費するのを防ぐことができるものである。
【符号の説明】
【００４６】
５  バーナ
７  燃焼用ファン
８  電磁ポンプ
９  点火手段
１０  送風ファン
１１  室温センサ
１２  操作部
１３  運転スイッチ
１５  報知部
１６  タイマー部
１７  記憶部
１８  制御部
【図１】
2014085058.tif 000003
【図２】
2014085058.tif 000004
【図３】
2014085058.tif 000005
【図４】
2014085058.tif 000006
【図５】
2014085058.tif 000007